(57)【要約】【課題】上記課題に鑑みてなされたものであり、膨張により各電池が離間しようとする距離の最大値が必要以上に大きくなるのを抑制することができる電池パックを提供すること。【解決手段】一対の電池３、４と、上下に重ねられた各電池３、４が所定の間隔とするためのスペーサ５と、各電池３、４が上下に重ねられた状態で後端面３ｂ、４ｂに形成された電極同士を接続するための接続部１７を有する接続板６とを備え、接続部１７には、接続対象となる電池３、４の数に対応する数の分岐部１９、２０に接続部１７を分岐するためのスリット２１が形成され、分岐部１９、２０の先端部が各電池３、４の電極に固定されている。【選択図】図３
2009205844.tif 000002
【特許請求の範囲】
【請求項１】
角形状に形成され、その厚み方向と直交する方向に向く端面に電極を有する少なくとも２つの電池と、
前記厚み方向に重ねられた各電池を所定の間隔とするためのスペーサと、
前記各電池が厚み方向に重ねられた状態で前記厚み方向と直交する略同一方向に向く端面に形成された電極同士を電気的に接続するための接続部を有する接続部材とを備え、
前記接続部には、接続対象となる電池の数に対応する数の分岐部に前記接続部を分岐するためのスリットが形成され、前記各分岐部の先端部が各電池の電極に固定されていることを特徴とする電池パック。
【請求項２】
前記接続部は、前記各電池の厚み方向の間隔が所定の寸法を超えたときに、破断するように構成されていることを特徴とする請求項１に記載の電池パック。
【請求項３】
前記接続部は、前記略同一方向を向く電池の端面に対向して配置され、前記接続部材は、前記接続部から前記略同一方向に対して反対の方向に向く端面まで延びるリード部をさらに備えていることを特徴とする請求項１又は２に記載の電池パック。
【請求項４】
前記スペーサは、前記各電池の側面に対し点接触可能な複数の支持部を有していることを特徴とする請求項１〜３の何れか１項に記載の電池パック。
【請求項５】
前記各電池の相対向する側面がそれぞれ多角形に形成され、前記各支持部は、前記多角形の角部にのみ配置されていることを特徴とする請求項４に記載の電池パック。
【請求項６】
前記スペーサは、前記各電池の相対向する側面同士の間に配置されるとともに絶縁性材料からなる絶縁板をさらに備え、前記各支持部は、前記絶縁板の縁部から各電池側へ突出していることを特徴とする請求項４又は５に記載の電池パック。
【発明の詳細な説明】
【技術分野】
【０００１】
本発明は、複数の電池を有する電池パックに関するものである。
【背景技術】
【０００２】
一般に、角形状に形成された複数の電池を有する電池パックが知られている。例えば、特許文献１には、角形状のバッテリーセルが厚み方向に積み重ねるように配設されたものが開示されている。
【０００３】
図９は、複数の電池を厚み方向に積み重ねた電池パックの一例を示す斜視図である。図１０は、図９の電池パックの一部を拡大して示す側面図であり、（ａ）は電池の膨張前の状態、（ｂ）は電池が膨張した状態、（ｃ）は電池同士が離間した状態をそれぞれ示している。
【０００４】
図９及び図１０に示す電池パックは、角形状に形成された一対の電池１０１及び電池１０２と、これら電池１０１、１０２の間に設けられたスペーサ１０３及び絶縁板１０４と、各電池１０１、１０２を電気的に接続するための接続板１０５及び基板１０６と、これら電池１０１、１０２、スペーサ１０３、絶縁板１０４、接続板１０５、及び基板１０６を覆う図外のカバーとを備えている。
【０００５】
電池１０１には、厚み方向と直交する方向に向く端面の一方に正極１０１ａが、他方に負極１０１ｂがそれぞれ形成されている。同様に、電池１０２には、厚み方向と直交する方向に向く端面の一方に正極１０２ａが、他方に負極１０２ｂがそれぞれ形成されている。
【０００６】
前記接続板１０５は、電池１０１の正極１０１ａと電池１０２の負極１０２ｂとを接続するための接続部１０５ａと、この接続部１０４ａから前記負極１０１ｂが形成された電池１０１の端面まで延びるリード部１０５ｂとを備えている。
【０００７】
基板１０６は、電池１０１の負極１０１ｂ、電池１０２の正極１０２ａ、及び接続板１０５のリード部１０５ｂに対して電気的に接続されている。
【０００８】
スペーサ１０３は、過充電等を原因として各電池１０１、１０２が膨張した場合に当該電池１０１、１０２同士の干渉を避けるべく、電池１０１と電池１０２との間に所定の隙間を形成するためのものである。具体的に、スペーサ１０３が電池１０１、１０２の対向する面の短辺に沿ってそれぞれ設けられていることにより、電池１０１、１０２の間には、図１０の（ａ）に示すように、間隔Ｓ１が形成されている。
【特許文献１】特開２００３−８６１５８号公報
【発明の開示】
【発明が解決しようとする課題】
【０００９】
図９及び図１０に示す電池パックにおいて、各電池１０１、１０２が膨張すると、図１０の（ｂ）に示すように、各電池１０１、１０２とスペーサ１０３との干渉部分Ｐ１が増大することにより、各電池１０１、１０２が互いに離間しようとする。
【００１０】
しかしながら、各電池１０１、１０２は、前記接続板１０５の接続部１０５ａによって端面同士が互いに固定されているため、接続板１０５が固定されていない反対側の端面が離間しようとして、図１０の（ｃ）に示すように、電池１０１、１０２がハの字型に変位するという問題があった。このように接続部１０５ａを支点として電池１０１、１０２がハの字型に広がる場合、当該電池１０１、１０２が平行状態を保ったまま互いに離間する場合と比較して、電池１０１の一番下の位置から電池１０２の一番上の位置までの距離、すなわち各電池が離間しようとする距離の最大値が大きくなってしまい、カバーの破損等を引き起こすおそれがあった。
【００１１】
本発明は、上記課題に鑑みてなされたものであり、膨張により各電池が離間しようとする距離の最大値が必要以上に大きくなるのを抑制することができる電池パックを提供することを目的としている。
【課題を解決するための手段】
【００１２】
上記課題を解決するために、本発明は、角形状に形成され、その厚み方向と直交する方向に向く端面に電極を有する少なくとも２つの電池と、前記厚み方向に重ねられた各電池を所定の間隔とするためのスペーサと、前記各電池が厚み方向に重ねられた状態で前記厚み方向と直交する略同一方向に向く端面に形成された電極同士を電気的に接続するための接続部を有する接続部材とを備え、前記接続部には、接続対象となる電池の数に対応する数の分岐部に前記接続部を分岐するためのスリットが形成され、前記各分岐部の先端部が各電池の電極に固定されていることを特徴とする電池パックを提供する。
【００１３】
本発明によれば、接続部にスリットが形成されているため、各電池が膨張した場合であっても、以下のように膨張により各電池が離間しようとする距離の最大値が大きくなるのを抑制することができる。
【００１４】
つまり、本発明に係る電池パックにおいて各電池が過充電等によって膨張した場合、まず、スペーサにより規定された所定の間隔の範囲内においては、各電池同士が接触することなく膨張する。前記所定の間隔を超えて各電池が膨張すると、電池同士は、互いに接触（絶縁用の部材を介した接触も含む）して、相手の電池から離間する方向の反力を受けることになる。
【００１５】
各電池がさらに膨張しようとする場合、本発明では、スリットにより接続部が複数の分岐部に分岐されているため、各電池の移動に応じて分岐部が互いに離間するように接続部が変形して、各電池の相対移動が許容される。
【００１６】
したがって、従来のように接続部によって各電池の移動が拘束されている場合（図１０参照）と異なり、接続部が支点となって各電池がハの字型に開くのを抑制することができるので、各電池が離間しようとする距離が大きくなるのを抑制することができる。
【００１７】
前記電池パックにおいて、前記接続部は、前記各電池の厚み方向の間隔が所定の寸法を超えたときに、破断するように構成されていることが好ましい。
【００１８】
この構成によれば、電池の膨張によって各電池が所定の寸法（例えば、スペーサにより規定された所定の間隔に対応する寸法）を超えて相対変位したときに、接続部を破断させることにより、各電池を電気的にも切断することができる。したがって、前記構成によれば、過充電等の程度が所定の基準値を超えたときに、各電池の相対移動を阻止するだけでなく、各電池間を電気的にも切断することにより、安全性をより高めることができる。
【００１９】
前記電池パックにおいて、前記接続部は、前記略同一方向を向く電池の端面に対向して配置され、前記接続部材は、前記接続部から前記略同一方向に対して反対の方向に向く端面まで延びるリード部をさらに備えていることが好ましい。
【００２０】
この構成によれば、各分岐部を有する接続部を各電池の一方の端面にそれぞれ対向して配置しながら、電池の反対側の端面まで延びるリード部を１本にまとめることができるので、リード部をコンパクトにして当該リード部と電池との接触による短絡等を回避し易くすることができる。
【００２１】
前記電池パックにおいて、前記スペーサは、前記各電池の側面に対し点接触可能な複数の支持部を有していることが好ましい。
【００２２】
この構成によれば、各電池の側面が各支持部によって点で支持されているため、各電池が膨張することにより、各支持部に接触する電池の側面の角度が変化した場合であっても、各電池を離間させる方向への反力を各支持部から受け難くなる。したがって、この構成によれば、従来のように電池の側面が面接触により支持されている場合（図１０参照）と異なり、各電池の膨張に伴う反力を各支持部から受けて各電池が互いに離間するのを抑制することができる。
【００２３】
前記電池パックにおいて、前記各電池の相対向する側面がそれぞれ多角形に形成され、前記各支持部は、前記多角形の角部にのみ配置されていることが好ましい。
【００２４】
この構成によれば、各電池の側面のうち、膨張による影響を受け難い位置に各支持部を配置することができるので、各電池が膨張した際に当該各電池が各支持部から受ける反力をより低減させることができ、これにより、各電池の相対的な変位量をより小さくすることができる。
【００２５】
つまり、多角形の側面形状を有する電池において最も膨張の影響を受け易いのは、側面形状の中心部分であり、多角形の各辺について見ても各辺の中点部分が最も膨張の影響を受け易い。そして、前記構成では、側面形状の端となり、かつ、各辺の端となる角部に各支持部が配置されているため、各電池が膨張した際に受ける影響を小さくすることができ、これにより、各電池に与える反力を小さくして当該各電池の相対変位量を小さくすることができる。
【００２６】
前記電池パックにおいて、前記スペーサは、前記各電池の相対向する側面同士の間に配置されるとともに絶縁性材料からなる絶縁板をさらに備え、前記各支持部は、前記絶縁板の縁部から各電池側へ突出していることが好ましい。
【００２７】
この構成によれば、スペーサの一部に各電池間を絶縁するための機能を持たせることができるので、絶縁のための部材を別途設ける場合と比較して、部品点数を減少させることができる。
【発明の効果】
【００２８】
本発明によれば、膨張により各電池が離間しようとする距離の最大値が必要以上に大きくなるのを抑制することができる。
【発明を実施するための最良の形態】
【００２９】
以下、本発明の好ましい実施形態について図面を参照して説明する。
【００３０】
図１は、本発明の実施形態に係る電池パックの全体構成を示す斜視図である。図２は、図１の電池パックのケースを開けた状態を示す斜視図である。図３は、図２の各電池をそれぞれ分解した状態を示す斜視図である。図４は、図２の要部を拡大して示す側面図である。
【００３１】
図１〜図４を参照して、電池パック１は、略直方体に形成され、その長手方向の一端に端子２が設けられている。なお、電池パック１の長手方向を仮に前後方向とし、電池パック１の幅方向を仮に左右方向とし、電池パック１の厚み方向を仮に上下方向として説明する。
【００３２】
電池パック１は、一対の電池３及び電池４と、これら電池３、４の間に設けられたスペーサ５と、各電池３、４の電極を接続する接続板（接続部材）６と、前記端子２を有する基板７と、これら電池３、４、スペーサ５、接続板６及び基板７を覆う上カバー８及び下カバー９とを備えている。
【００３３】
電池３、４は、上から見て前後に延びる長方形の平面形状を有する角形状に形成されている。電池３は、前端面３ａに形成された負極１０と、後端面３ｂに形成された正極１１とを備えている。電池４は、前端面４ａに形成された正極１２と、後端面４ｂに形成された負極１４とを備えている。
【００３４】
スペーサ５は、上下方向に重ねられた電池３、４が所定の間隔Ｓ２（図４参照）となるように、電池３の上面と電池４の下面との間に設けられている。具体的に、スペーサ５は、電池３、４を絶縁するための絶縁板１５と、前記絶縁板１５から上下に突出する支持部１６とを一体に有する合成樹脂からなる部材である。
【００３５】
絶縁板１５は、上から見たときの平面形状が前記各電池３、４と略同等又はこれらよりも若干小さく形成されている。この絶縁板１５の周縁部１５ａは、略一定の厚み寸法とされている。また、絶縁板１５の上下両面には、周縁部１５ａの内側に凹部１５ｂが形成されている（図３では上面の凹部１５ｂのみ示している）。これら凹部１５ｂは、周縁部１５ａから離れるに従い深くなる、つまり、絶縁板１５の中央部側が深くなるように形成されている。このような凹部１５ｂの凹み形状は、電池３、４の膨張時の形状に合わせて設計されたものである。
【００３６】
支持部１６は、図３及び図４に詳しく示すように、前記絶縁板１５の上下両面の４隅にそれぞれ設けられた半球状の突起である。これら支持部１６は、電池３の上面及び電池４の下面に対してそれぞれ点接触した状態で、各電池３、４を前記間隔Ｓ２で保持するようになっている。この間隔Ｓ２は、予め設定された程度まで各電池３、４が膨張したときにおいても、各電池３、４が絶縁板１５に接触することがないように設定された間隔である。したがって、前記予め設定された程度の範囲内において、各電池３、４は、絶縁板１５に接触することなく膨張することができる。
【００３７】
一方、前記予め設定された程度を超えて各電池３、４が膨張した場合には、各電池３、４がそれぞれ絶縁板１５に接触し、さらに膨張が進行すると、各電池３、４が互いに相手の電池から絶縁板１５を介して反力を受けることになる。ここで、前記各支持部１６は、膨張時の変形が比較的緩やかである電池３、４（絶縁板１５）の４隅に設けられているので、各電池３、４の膨張による影響を受け難い。さらに、各支持部１６は各電池３、４に点接触しているため、膨張に応じて、電池３の上面又は電池４の下面が支持部１６に対して傾斜することになっても、点接触の状態をある程度保持して、電池に面接触する場合（図１０参照）と異なり干渉部分Ｐ１の発生を抑制することができるので、各電池３、４が受ける反力を低減することができる。
【００３８】
図５は、図２の接続板の配索状態を示す概略図斜視図である。図６は、図５の接続板の一部を拡大して示す正面図であり、（ａ）は通常時の状態、（ｂ）は変形して開いた状態をそれぞれ示している。
【００３９】
図２〜図６を参照して、接続板６は、導電性を有する金属板をプレス加工等によって適所で折り曲げたものである。この接続板６は、電池３の後端面３ｂ及び電池４の後端面４ｂに対向して配置された接続部１７と、この接続部１７から電池３の前端面３ａまで延びるリード部１８とを備えている。
【００４０】
接続部１７には、当該接続部１７を２つの分岐部１９及び分岐部２０に分岐するためのスリット２１が形成されている。分岐部１９の先端部には、前後方向に貫通する溶接用の孔１９ａが形成されている。同様に、分岐部２０の先端部には、前後方向に貫通する溶接用の孔２０ａが形成されている。これら孔１９ａ、２０ａを介して、各電池３、４に対してそれぞれ分岐部１９、２０が溶接固定されている。
【００４１】
スリット２１は、接続部１７の右端部から各孔１９ａ、２０ａが形成されている箇所を越える左側の位置まで範囲に形成されている。より具体的には、接続部１７の右端部から各分岐部１９、２０と電池３、４との溶接箇所を越える左側の位置までの範囲にスリット２１が形成されている。したがって、各電池３、４が膨張に伴い互いに離間するときにおいても、各分岐部１９、２０は、図６の（ｂ）に示すように、比較的柔軟に広がることができる。
【００４２】
リード部１８は、前記接続部１７から左方に延びるとともに、前記電池３の左側面に沿って前方へ延び、後述する基板７を抱え込むように右方に折り返されている。このように、本実施形態では、各分岐部１９、２０を各電池３、４の後端面３ｂ、４ｂに対向して配置しながら、電池３、４の前端面３ａ、４ａまで延びるリード部１８を１本にまとめることができるので、リード部１８をコンパクトにして当該リード部１８と電池３、４との接触による短絡等を回避し易くすることができる。
【００４３】
再び図１〜図３を参照して、基板７は、電池３の負極１０、電池４の正極１２、及びリード部１８をそれぞれ電気的に接続するためのハンダランド７ａ、７ｂ、７ｃを有している。この基板７には、前方へ突出する端子２が形成されている。
【００４４】
上カバー８及び下カバー９は、それぞれ有底容器状に形成され、互いの開口部を上下に突き合わせるようにして配置されている。上カバー８と下カバー９との間には、前記基板７の端子２が挟持され、両カバー８、９を閉じた状態において端子２が外部に露出した状態とされている。
【００４５】
以上のように構成された電池パック１において電池３、４が過充電等により膨張した際の挙動について図６及び図７を参照して説明する。図７は、図２の要部を拡大して示す側面図であり、（ａ）は電池が膨張している状態、（ｂ）は各電池が離間した状態をそれぞれ示している。
【００４６】
各電池３、４が過充電等によって膨張を開始すると、スペーサ５によって規定された間隔Ｓ２（図４参照）の範囲内において、各電池３、４は、それぞれ絶縁板１５に接触することなく膨張する。
【００４７】
図７の（ａ）に示すように、前記間隔Ｓ２に規定された範囲を超えて各電池３、４の膨張が進行すると、各電池３、４は、それぞれ絶縁板１５に接触し、当該絶縁板１５を介して相手の電池から矢印Ｙ２に示すような反力を受けて、互いにさらに離間しようとする。
【００４８】
前記矢印Ｙ２に示す反力が接続部１７に規定された反力を超えると、図６の（ｂ）に示すように、各分岐部１９、２０が互いに離間するように接続部１７が変形する。これにより、各分岐部１９、２０に固定された電池３、４は、図７の（ｂ）に示すように、各支持部１６から離間するとともに、互いに平行な関係を保持しながら上下に離間することになる。
【００４９】
なお、前記実施形態では、図６の（ａ）、（ｂ）に示すように、接続部１７を変形させるようにしているが、図８に示すように、各電池３、４の膨張が所定の範囲を超えたときに接続部２２が破断するように構成することもできる。図８は、別の実施形態に係る接続部を示す正面図であり、（ａ）は破断前の状態、（ｂ）は破断後の状態をそれぞれ示している。
【００５０】
図８の（ａ）に示すように、接続部２２には、各分岐部１９、２０を連結する連結部２３に左右両側から切れ込み２４ａ、２４ｂが形成されている。したがって、各電池３、４の膨張が図７の（ａ）に示すように接続板１５に接触するまでの範囲内であるときは、図８の（ａ）に示すように電気的な接続状態が保持されている。そして、前記矢印Ｙ２に示す反力が前記連結部２３により規定された反力を超えると、図８の（ｂ）に示すように、連結部２３が破断して、各電池３、４の電気的に切断されることになる。
【００５１】
以上説明したように、前記電池パック１によれば、接続部１７にスリット２１が形成されているため、各電池３、４が膨張した場合であっても、以下のように電池パック１の最大厚み寸法が大きくなるのを抑制することができる。
【００５２】
つまり、前記電池パック１において各電池３、４が過充電等によって膨張した場合、まず、スペーサ５により規定された間隔Ｓ２の範囲内においては、各電池３、４同士が接触することなく膨張する。前記間隔Ｓ２の範囲を超えて各電池３、４が膨張すると、電池３、４同士は、互いに絶縁板１５を介して接触して、相手の電池から矢印Ｙ２に示す反力を受けることになる。
【００５３】
各電池３、４がさらに膨張しようとする場合、前記電池パック１では、スリット２１により接続部１７が一対の分岐部１９、２０に分岐されているため、各電池３、４の移動に応じて分岐部１９、２０が互いに離間するように接続部１７が変形して、各電池３、４の相対移動が許容される。
【００５４】
したがって、従来のように、接続部によって各電池の移動が拘束されている場合（図１０参照）と異なり、接続部が支点となって各電池がハの字型に開くのを抑制することができるので、各電池３、４が離間しようとする距離が大きくなるのを抑制することができる。
【００５５】
前記接続部２２（図８参照）のように、各電池３、４が所定の寸法を超えて相対変位したときに、連結部２３を破断させる構成によれば、各電池３、４を電気的にも切断することができる。したがって、前記構成によれば、過充電等の程度が所定の基準値を超えたときに、各電池３、４の相対移動を阻止するだけでなく、各電池３、４間を電気的にも切断することにより、安全性をより高めることができる。
【００５６】
前記実施形態のように、リード部１８を備えた構成によれば、分岐部１９、２０を有する接続部１７を各電池３、４の後端面３ｂ、４ｂにそれぞれ対向して配置しながら、電池３、４の前端面３ａ、４ａまで延びるリード部１８を１本にまとめることができるので、リード部１８をコンパクトにして当該リード部１８と電池３、４との接触による短絡等を回避し易くすることができる。
【００５７】
各電池３、４に対し点接触可能な支持部１６を備えた構成によれば、電池３の上面及び電池４の下面が各支持部１６によって点で支持されているため、各電池３、４が膨張することにより、各支持部１６に接触する電池３、４の表面の角度が変化した場合であっても、各電池３、４を離間させる方向への反力を各支持部１６から受け難くなる。したがって、この構成によれば、従来のように電池３、４の表面が面接触により支持されている場合と異なり、各電池３、４の膨張に伴う反力を各支持部１６から受けて各電池３、４が互いに離間するのを抑制することができる。
【００５８】
前記実施形態のように、各支持部１６が各電池３、４の４角形の表面の４隅、つまり、角部にのみ配置されている構成によれば、各電池３、４の表面のうち、膨張による影響を受け難い位置に各支持部１６を配置することができるので、各電池３、４が膨張した際に当該各電池３、４が各支持部１６から受ける反力をより低減させることができ、これにより、各電池３、４の相対的な変位をより小さくすることができる。
【００５９】
つまり、４角形の表面形状を有する電池３、４において最も影響を受け易いのは、表面形状の中心部分であり、４角形の各辺について見ても各辺の中点部分が最も膨張の影響を受け易い。そして、前記実施形態では、表面形状の端となり、かつ、各辺の端となる角部に各支持部１６が配置されているため、各電池３、４が膨張した際に受ける影響を小さくすることができ、これにより、各電池３、４に与える反力を小さくして当該各電池３、４の相対変位量を小さくすることができる。
【００６０】
前記実施形態のように、スペーサ５が絶縁板１５と各支持部１６とを一体に有した構成によれば、スペーサ５の一部に各電池３、４間を絶縁するための機能を持たせることができるので、絶縁のための部材を別途設ける場合と比較して、部品点数を減少させることができる。
【図面の簡単な説明】
【００６１】
【図１】本発明の実施形態に係る電池パックの全体構成を示す斜視図である。
【図２】図１の電池パックのケースを開けた状態を示す斜視図である。
【図３】図２の各電池をそれぞれ分解した状態を示す斜視図である。
【図４】図２の要部を拡大して示す側面図である。
【図５】図２の接続板の配索状態を示す概略図斜視図である。
【図６】図５の接続板の一部を拡大して示す正面図であり、（ａ）は通常時の状態、（ｂ）は変形して開いた状態をそれぞれ示している。
【図７】図２の要部を拡大して示す側面図であり、（ａ）は電池が膨張している状態、（ｂ）は各電池が離間した状態をそれぞれ示している。
【図８】別の実施形態に係る接続部を示す正面図であり、（ａ）は破断前の状態、（ｂ）は破断後の状態をそれぞれ示している。
【図９】複数の電池を厚み方向に積み重ねた電池パックの一例を示す斜視図である。
【図１０】図９の電池パックの一部を拡大して示す側面図であり、（ａ）は電池の膨張前の状態、（ｂ）は電池が膨張した状態、（ｃ）は電池同士が離間した状態をそれぞれ示している。
【符号の説明】
【００６２】
Ｓ２    間隔
１    電池パック
３、４    電池
５    スペーサ
６    接続板（接続部材）
７    基板
１５    絶縁板
１６    支持部
１７    接続部
１８    リード部
１９    分岐部
２０    分岐部
２１    スリット
２２    接続部
【図１】
2009205844.tif 000003
【図２】
2009205844.tif 000004
【図３】
2009205844.tif 000005
【図４】
2009205844.tif 000006
【図５】
2009205844.tif 000007
【図６】
2009205844.tif 000008
【図７】
2009205844.tif 000009
【図８】
2009205844.tif 000010
【図９】
2009205844.tif 000011
【図１０】
2009205844.tif 000012